(57)【要約】  【課題】    視覚的機能だけでなく聴覚的機能も備え、多機能で拡張性の高い、データ保存及び音声再生機能付表示装置の提供。  【解決手段】    本体とケーブル、発光板及び回路板を含み、該本体はキャップと把持部、蓋体を備え、該発光板に接続座部と光源体を設置し、該回路板に接続座部、表示部、ボタン、集積回路、メモリ、接続槽、内蔵スピーカ及び挿入孔を設置し、該回路板を把持部内部に設置して該蓋体で覆い、該回路板の該集積回路によりメモリ内のマルチメディアファイルを読み取り、音声信号に変換して内蔵スピーカから対外再生でき、また該回路板上の挿入孔に他の出力装置を接続することもでき、該ボタンを操作してファイルの選択や音量の大小を制御でき、また該表示部はファイルや音量に関する情報を表示し、さらに、該接続槽とケーブルを介してコンピュータに接続し、ファイルを該メモリに取り込み、携帯型保存デバイスとして利用することもできる。  【選択図】    図２ 
0003109878.tif 000002
【実用新案登録請求の範囲】
【請求項１】
本体とケーブル、発光板及び回路板を含み、そのうち該本体はキャップと把持部、蓋体を備え、該発光板に接続座部と光源体を設置し、該回路板に接続座部、表示部、ボタン、集積回路、メモリ、接続槽、内蔵スピーカ及び挿入孔を設置し、該回路板を把持部内部に設置して該蓋体で覆い、該発光板の接続座部と該回路板の接続座部を連結した後、該キャップのねじ山と把持部のねじ山を螺合して固定すると共に、該回路板の該集積回路によりメモリ内部のマルチメディアファイルを読み取り、音声信号に変換した後、内蔵スピーカから該マルチメディアサウンドを対外再生することができ、且つ、該回路板上の挿入孔に他の音声再生装置を接続することもでき、該ボタンの操作を介して再生するマルチメディアファイルを選択したり、音声出力の音量の大小を制御したりすることができると共に、該表示部にマルチメディアファイルと音声出力制御の音量大小に関する情報を表示でき、さらに、該接続槽にケーブルのコネクタを挿入してコンピュータ装置と相互に接続し、マルチメディアファイルやデジタルファイルを該メモリに取り込み、携帯型ファイル保存デバイスとして利用することもでき、且つ、該ボタンにより発光板上の光源体の対応する発光モードを選択し、字幕表示方式またはマルチメディアサウンドに合わせて点滅するモードに切り換えることができることを特徴とする、データ保存及び音声再生機能付表示装置。
【考案の詳細な説明】
【技術分野】
【０００１】
本考案は、データ保存及び音声再生機能付表示装置に関し、詳細には、回路板の集積回路がメモリ内部のマルチメディアファイル形式を読み取り、音声信号に変換して内蔵スピーカへ出力し、マルチメディアサウンドを対外再生し、且つ、該回路板上の挿入孔に使用者が他の音声再生装置を接続することができ、同時にボタン操作を介して再生するマルチメディアファイルを選択したり、音声出力の音量の大小を制御したりすることができ、且つ、表示装置にマルチメディアファイルと音声出力制御の音量大小に関する情報を表示する、データ保存及び音声再生機能付表示装置に関する。
【０００２】
本考案のデータ保存及び音声再生機能付表示装置はさらに、回路板の接続槽にケーブルのコネクタを挿入してコンピュータ等の装置と相互に接続することができ、マルチメディアファイルを取り込んで回路板のメモリに伝送し保存することができ、また、メモリはマルチメディアファイルの保存のほか、その他デジタルファイルの保存にも利用でき、携帯型のファイル保存デバイスとして使用することもできる。
【背景技術】
【０００３】
一般的に夜間に使用される誘導棒は、単一の発光装置または図案表示のみの視覚的機能のみに利用され、聴覚的機能に関連する装置は一切備えておらず、また、夜間に使用される表示装置は、誘導棒や動態字幕ディスプレイ等、単一の視覚的機能のみに頼っており、その使用効果には限りがあるため、視界の悪い場所や夜間照明が不適切な場所では、その欠点がすぐに露呈してしまう。
【考案の開示】
【考案が解決しようとする課題】
【０００４】
上述の問題に鑑みて、本考案の目的は、視覚的機能だけでなく聴覚的機能も備え、多機能で拡張性の高い、データ保存及び音声再生機能付表示装置を提供することにある。
【課題を解決するための手段】
【０００５】
本考案のデータ保存及び音声再生機能付表示装置は、主に本体とケーブル、発光板及び回路板を含み、そのうち該本体はキャップと把持部、蓋体を備え、該発光板に接続座部と光源体を設置し、該回路板に接続座部、表示部、ボタン、集積回路、メモリ、接続槽、内蔵スピーカ及び挿入孔を設置し、該回路板を把持部内部に設置して該蓋体で覆い、該発光板の接続座部と該回路板の接続座部を連結した後、該キャップのねじ山と把持部のねじ山を螺合して固定すると共に、該回路板の該集積回路によりメモリ内部のマルチメディアファイルを読み取り、音声信号に変換した後、内蔵スピーカから該マルチメディアサウンドを対外再生することができ、且つ、該回路板上の挿入孔に他の音声再生装置を接続することもでき、該ボタンの操作を介して再生するマルチメディアファイルを選択したり、音声出力の音量の大小を制御したりすることができると共に、該表示部にマルチメディアファイルと音声出力制御の音量大小に関する情報を表示でき、さらに、該接続槽にケーブルのコネクタを挿入してコンピュータ装置と相互に接続し、マルチメディアファイルやデジタルファイルを該メモリに取り込み、携帯型ファイル保存デバイスとして利用することもでき、且つ、該ボタンにより発光板上の光源体の対応する発光モードを選択し、字幕表示方式またはマルチメディアサウンドに合わせて点滅するモードに切り換えることができることを特徴とする。
【考案の効果】
【０００６】
本考案の進歩性と実用性をよりはっきりと示すため、以下、従来品と比較分析する。
「従来品の欠点」
１、単一の視覚性機能しか備えていない。
２、聴覚性機能がない。
３、その他装置と接続できない。
４、データの拡張性がなく、内部データを交換することができない。
「本考案の利点」
１、聴覚性機能を備えている。
２、イメージを表示するとき、同時にマルチメディアサウンドを再生できる。
３、マルチメディアサウンドと視覚性の点滅を組み合わせることができる。
４、コンピュータ等の装置と接続でき、拡張性とデータの交換性を得ることができる。
５、進歩性と実用性を備えている。
６、産業的競争力が向上される。
【考案を実施するための最良の形態】
【０００７】
本考案のデータ保存及び音声再生機能付表示装置について、以下図面と実施例に基づき詳細に説明する。
【０００８】
図１及び図２に示すように、本考案のデータ保存及び音声再生機能付表示装置は、本体AとケーブルB、発光板C及び回路板Dを含み、そのうち該本体AはキャップA１と把持部A３を備え、該発光板Cに接続座部C１及び光源体C２を設置し、該回路板Dに接続座部D１、表示部D２、ボタンD３、集積回路D４、メモリD５、接続槽D６、内蔵スピーカD７及び挿入孔D８を設置する。
【０００９】
本考案の構造は、該回路板Dを把持部A３内に設置して蓋体A５で覆い、発光板Cの接続座部C１を該回路板Dの接続座部D１上に接続した後、キャップA１のねじ山A２を把持部A３のねじ山A４と螺合して固定し、使用時には、該集積回路D４によりメモリD５内部の図形ファイルを読み取り、連続脈波に変換した後、信号を発光板Cに伝送し、光源体C２に連続した点滅を行わせることを特徴とする。
【００１０】
また、該回路板Dの集積回路D４は同時にメモリD５内部のマルチメディアファイル形式を読み取り、音声信号に変換して内蔵スピーカD７から該マルチメディアサウンドを対外再生することができ、且つ、該回路板D上の挿入孔D８に他の音声再生装置を接続することもでき、同時にボタンD３の操作を介して再生するマルチメディアファイルを選択したり、音声出力の音量の大小を制御したりすることができ、さらに、表示部D２にマルチメディアファイルと音声出力制御の音量大小に関する情報を表示する。
【００１１】
また、マルチメディアサウンドを再生するとき、ボタンD３により発光板C上の光源体C２の対応する発光モードを選択し、字幕表示方式またはマルチメディアサウンドに合わせて点滅するモードを切り換えることができる。
【００１２】
さらに、回路板Dの接続槽D６にケーブルBのコネクタB１を挿入して接続することで、コンピュータ等の装置と相互に接続することができ、使用者はマルチメディアファイルを取り込んで回路板DのメモリD５に伝送して保存したり、メモリD５にマルチメディアファイルだけでなく他のデジタルファイルを保存したりすることもでき、携帯型のファイル保存デバイスとしても使用することができる。
【００１３】
前記メモリD５は、RAM（Random Access
Memory）、EPROM（Electrically Programmable Read Only Memory）、EEROM(Electrically
Erasable Read Only Memory)、EPRO（Erasable Programmable Read Only Memory）、EEPROM（Electrically
Erasable Programmable Read Only Memory）、FLASH（Flash Memory）、SDRAM（Synchronous
Dynamic Random Access Memory）、DRAM（Dynamic Random Access Memory）、DDR-SDRAM（Double
Data Rate Synchronous Dynamic Random Access Memory）及び関連電子アプリケーションの保存メモリとする。
【００１４】
本考案のデータ保存及び音声再生機能付表示装置の実施方法は、図３に示すように（図２も参照）、本体Aを連続して往復移動させると、光源体C２が連続点滅発光してその光線が人の肉眼に一時的に留まる現象が発生し、イメージEが形成され文字効果が生まれる。同時に、回路板Dの集積回路D４が同時にメモリD５内部のマルチメディアファイル形式を読み取り、音声信号に変換して内蔵スピーカD７に出力してマルチメディアサウンドを対外再生し、イメージと音声の同時表示再生機能を得ることができる。
【００１５】
図４及び図５に示すように（図２も参照）、本体AにケーブルBのコネクタB１を接続詞、ケーブルBの別の一端のコネクタB１をコンピュータFまたはその他本体と相互に接続し、ケーブル接続方式を介してマルチメディアファイルを本体A内に取り込み、回路板DのメモリD５内に保存し、使用者の好みにより再生するマルチメディアファイルを交換することができる。また、メモリD５にはマルチメディアファイルの保存のほか、その他デジタルファイルを保存することもでき、携帯型のファイル保存デバイスとして使用してもよい。
【００１６】
図６に示すように（図２も参照）、イヤホンHのプラグH１またはスピーカIのプラグI１を本体Aの挿入孔D８に接続し、回路板Dの集積回路D４を介して、同時にメモリD５内のマルチメディアファイル形式を読み取り、音声信号に変換してイヤホンHまたはスピーカIからマルチメディアサウンドを出力再生することもできる。
【００１７】
上述のように、本考案は従来技術を打破する構造の下、確実に増進したい効果を得ることができ、また、該項技術を熟知した者でなくとも容易に理解することができ、さらに、本考案はこれまで公開されたことがないものであり、進歩性と実用性を兼ね備えており、実用新案登録請求の出願要件を満たしているため、法に基づきここに実用新案登録を出願するものである。
【００１８】
以上、本考案について最良の実施例に基づき説明してきたが、上述の説明は本考案の特許範囲を制限するものではなく、本考案の明細書及び図面の内容を運用した同等の構造を、直接的または間接的にその他関連技術領域に応用したものもすべて、本考案の要旨の範囲に含まれるものとみなす。
【図面の簡単な説明】
【００１９】
【図１】本考案の立体図である。
【図２】本考案の立体分解図である。
【図３】本考案の使用時の動作を示す立体図である。
【図４】本考案をコンピュータに接続した状態を示す立体図である。
【図５】本考案を相互に接続した状態を示す立体図である。
【図６】本考案にイヤホンまたはスピーカを接続した状態を示す立体図である。
【符号の説明】
【００２０】
A、G      本体
A１        キャップ
A２        ねじ山
A３        把持部
A４        ねじ山
A５        蓋体
B          ケーブル
B１        コネクタ
C          発光板
C１        接続座部
C２        光源体
D          回路板
D１        接続座部
D２        表示部
D３        ボタン
D４        集積回路
D５        メモリ
D６        接続槽
D７        内蔵スピーカ
D８        挿入孔
E          イメージ
F          コンピュータ
H          イヤホン
H１        プラグ
I          スピーカ
I１        プラグ
【図１】
0003109878.tif 000003
【図２】
0003109878.tif 000004
【図３】
0003109878.tif 000005
【図４】
0003109878.tif 000006
【図５】
0003109878.tif 000007
【図６】
0003109878.tif 000008